【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレスデバイスの受信機によりダウンリンクリソースの第1の帯域幅を監視するステップであり、前記第1の帯域幅が第1のサブキャリア間隔で構成される、ステップと、
前記第1の帯域幅において、データ送信に関連付けられたダウンリンクリソースの第2の帯域幅を示す前記ワイヤレスデバイスのためのダウンリンクデータ送信リソースの許可を含む制御メッセージを受信するステップであり、前記第2の帯域幅が、前記制御メッセージを受信するための前記第1の帯域幅と異なり、第2のサブキャリア間隔で構成され、前記第1の帯域幅と同じセル上の周波数のサブセットを含む、ステップと、
前記第2の帯域幅を示す前記許可を受信することに少なくとも部分的に基づいて、前記ワイヤレスデバイスの前記データ送信に関連付けられた前記第2の帯域幅を監視することを決定するステップと、
送信時間間隔(TTI)中に前記データ送信のために前記受信機により前記第2の帯域幅を監視するステップであり、前記受信された制御メッセージと前記データ送信との間に時間ギャップが存在し、前記時間ギャップが、前記ワイヤレスデバイスが前記第1の帯域幅の監視から前記第2の帯域幅の監視に切り替えることを可能にするように構成される、ステップと
を含む方法。
【請求項２】
前記時間ギャップは、前記ワイヤレスデバイスが前記第1の帯域幅における受信から前記第2の帯域幅における受信に切り替えるように受信機回路を準備することを可能にする、請求項1に記載の方法。
【請求項３】
前記時間ギャップ中に前記制御メッセージを復号するステップと、
前記受信機による前記第1の帯域幅の監視から、前記受信機による前記第2の帯域幅の監視に切り替えるように準備するステップと
をさらに含む請求項1に記載の方法。
【請求項４】
前記第2の帯域幅が広帯域を含み、
前記第1の帯域幅が前記広帯域の狭帯域部分を含み、
前記第1の帯域幅が前記第2の帯域幅の一部である
請求項1に記載の方法。
【請求項５】
前記第1の帯域幅を監視するステップが、前記受信機の狭帯域受信機回路により前記第1の帯域幅を監視するステップを含み、
前記第2の帯域幅を監視するステップが、前記受信機の広帯域受信機回路により前記第2の帯域幅を監視するステップを含む
請求項1に記載の方法。
【請求項６】
前記第1の帯域幅がアンカーキャリアを含み、
前記第2の帯域幅が1つまたは複数のキャリアを含む
請求項1に記載の方法。
【請求項７】
前記1つまたは複数のキャリアが、前記アンカーキャリアおよび1つまたは複数の他のキャリアを含む、請求項6に記載の方法。
【請求項８】
前記TTIの第2の部分の間に前記第2の帯域幅において前記データ送信を受信するステップであり、前記TTIの前記第2の部分の前の前記TTIの第1の部分において前記許可が受信される、ステップ
をさらに含む請求項1に記載の方法。
【請求項９】
前記TTIの前記第1の部分の間、および前記データ送信を受信するより前に、前記許可を処理するステップ
をさらに含む請求項8に記載の方法。
【請求項１０】
前記TTIの前記第2の部分における前記第2の帯域幅の監視に切り替えるより前に、前記TTIの前記第1の部分の間に前記第1の帯域幅における前記データ送信の第1の部分を、前記許可に少なくとも部分的に基づいて、受信するステップ
をさらに含む請求項8に記載の方法。
【請求項１１】
前記TTIの前記第1の部分の間に前記制御メッセージを復号するステップと、
前記TTIの前記第1の部分の間に、前記受信機による前記第1の帯域幅の監視から、前記受信機による前記第2の帯域幅の監視に切り替えるように準備するステップと
をさらに含む請求項10に記載の方法。
【請求項１２】
前記許可、または無線リソース制御メッセージ、または複数のワイヤレスデバイスにブロードキャストされるメッセージのうちの1つまたは複数において、前記データ送信の前記第1の部分を受信するための持続時間の指示を受信するステップ
をさらに含む請求項10に記載の方法。
【請求項１３】
前記データ送信が、物理ダウンリンク共有チャネル(PDSCH)において受信される、請求項8に記載の方法。
【請求項１４】
前記TTI中に前記第2の帯域幅で前記データ送信を受信するステップであり、前記許可が、以前のTTIで受信される、ステップ
をさらに含む請求項1に記載の方法。
【請求項１５】
前記TTI中に前記第1の帯域幅において、第2のTTIのダウンリンクデータ送信リソースの前記許可を含む前記制御メッセージを受信するステップであり、前記第2のTTIが前記TTIに続く、ステップ
をさらに含む請求項14に記載の方法。
【請求項１６】
前記TTIが第1の送信機会にあり、
前記以前のTTIが以前の送信機会にある
請求項14に記載の方法。
【請求項１７】
前記許可を受信することに少なくとも部分的に基づいて中間TTI中に第1のクリアチャネルアセスメントを実行するステップであり、前記中間TTIが前記以前のTTIの後であり、前記TTIの前である、ステップと、
前記第1のクリアチャネルアセスメントに少なくとも部分的に基づいて前記中間TTI中に前記第2の帯域幅が占有されていると決定するステップと、
前記TTI中に前記第2の帯域幅がクリアであることを決定するステップであり、前記TTI中に前記第2の帯域幅を監視すると決定するステップが、前記TTI中に前記第2の帯域幅がクリアであると決定することに少なくとも部分的に基づく、ステップと、
前記TTIの第1の部分の間に、前記受信機による前記第1の帯域幅の監視から、広帯域受信機による前記第2の帯域幅の監視に切り替えるように準備するステップと
をさらに含む請求項14に記載の方法。
【請求項１８】
第2のTTI中に、前記ワイヤレスデバイスがリソースについての第2の許可を受信していないと決定するステップと、
前記ワイヤレスデバイスがリソースについての前記第2の許可を受信していないと決定することに少なくとも部分的に基づいて、不連続受信モード(DRX)に入るステップと
をさらに含む請求項1に記載の方法。
【請求項１９】
前記第2の帯域幅が広帯域を含み、
前記第1の帯域幅が前記広帯域の狭帯域部分を含み、
前記第1の帯域幅が前記第2の帯域幅と重複している
請求項1に記載の方法。
【請求項２０】
前記第2の帯域幅が広帯域を含み、
前記第1の帯域幅が前記広帯域の狭帯域部分を含み、
前記第1の帯域幅が前記第2の帯域幅と重複していない
請求項1に記載の方法。
【請求項２１】
前記受信された制御メッセージと前記データ送信との間の前記時間ギャップは、前記ワイヤレスデバイスへのいかなる送信も含まない、請求項1に記載の方法。
【請求項２２】
ワイヤレス通信のための方法であって、
第1のサブキャリア間隔で構成されたダウンリンクリソースの第1の帯域幅において、データ送信に関連付けられたダウンリンクリソースの第2の帯域幅を示すワイヤレスデバイスのためのダウンリンクデータ送信リソースの許可を含む制御メッセージを送信するステップであり、前記第2の帯域幅が、前記制御メッセージを受信するための前記第1の帯域幅と異なり、第2のサブキャリア間隔で構成され、前記第1の帯域幅と同じセル上の周波数のサブセットを含む、ステップと、
前記制御メッセージと前記データ送信との間の時間ギャップをスケジュールするステップであり、前記時間ギャップが、前記ワイヤレスデバイスが前記第1の帯域幅の監視から前記第2の帯域幅の監視に切り替えることを可能にするように構成される、ステップと、
前記第2の帯域幅において、前記スケジュールされた時間ギャップに少なくとも部分的に基づいて、送信時間間隔(TTI)中に前記データ送信を送信するステップと
を含む方法。
【請求項２３】
前記スケジュールされた時間ギャップが、前記ワイヤレスデバイスが前記第1の帯域幅における受信から前記第2の帯域幅における受信に切り替えるように受信機回路を準備するための時間を与える、請求項22に記載の方法。
【請求項２４】
前記第2の帯域幅が広帯域を含み、
前記第1の帯域幅が前記広帯域の狭帯域部分を含み、
前記第1の帯域幅が前記第2の帯域幅の一部である
請求項22に記載の方法。
【請求項２５】
前記第1の帯域幅がアンカーキャリアを含み、
前記第2の帯域幅が1つまたは複数のキャリアを含む
請求項22に記載の方法。
【請求項２６】
前記TTIの第2の部分の間に前記第2の帯域幅において前記データ送信を送信するステップであり、前記TTIの前記第2の部分の前の前記TTIの第1の部分において前記許可が送信される、ステップ
をさらに含む請求項22に記載の方法。
【請求項２７】
前記TTIの前記第2の部分における前記第2の帯域幅における前記データ送信の第2の部分を送信するより前の前記TTIの前記第1の部分の間に前記第1の帯域幅における前記データ送信の第1の部分を、前記許可に少なくとも部分的に基づいて、送信するステップ
をさらに含む請求項26に記載の方法。
【請求項２８】
前記TTI中に前記第2の帯域幅で前記データ送信を送信するステップであり、前記許可が、以前のTTIで送信される、ステップ
をさらに含む請求項22に記載の方法。
【請求項２９】
システムにおける、ワイヤレス通信のための装置であって、
プロセッサと、
前記プロセッサと電気的に通信するメモリと、
前記メモリに記憶された命令とを備え、
前記命令が、
ワイヤレスデバイスの受信機によりダウンリンクリソースの第1の帯域幅を監視する動作であり、前記第1の帯域幅が第1のサブキャリア間隔で構成される、動作と、
前記第1の帯域幅において、データ送信に関連付けられたダウンリンクリソースの第2の帯域幅を示す前記ワイヤレスデバイスのためのダウンリンクデータ送信リソースの許可を含む制御メッセージを受信する動作であり、前記第2の帯域幅が、前記制御メッセージを受信するための前記第1の帯域幅と異なり、第2のサブキャリア間隔で構成され、前記第1の帯域幅と同じセル上の周波数のサブセットを含む、動作と、
前記第2の帯域幅を示す前記許可を受信することに少なくとも部分的に基づいて、前記ワイヤレスデバイスの前記データ送信に関連付けられた前記第2の帯域幅を監視することを決定する動作と、
送信時間間隔(TTI)中に前記データ送信のために前記受信機により前記第2の帯域幅を監視する動作であり、前記受信された制御メッセージと前記データ送信との間に時間ギャップが存在し、前記時間ギャップが、前記ワイヤレスデバイスが前記第1の帯域幅の監視から前記第2の帯域幅の監視に切り替えることを可能にするように構成される、動作と
を行うように前記プロセッサによって実行可能である、装置。
【請求項３０】
システムにおける、ワイヤレス通信のための装置であって、
プロセッサと、
前記プロセッサと電気的に通信するメモリと、
前記メモリに記憶された命令とを備え、
前記命令が、
第1のサブキャリア間隔で構成されたダウンリンクリソースの第1の帯域幅において、データ送信に関連付けられたダウンリンクリソースの第2の帯域幅を示すワイヤレスデバイスのためのダウンリンクデータ送信リソースの許可を含む制御メッセージを送信する動作であり、前記第2の帯域幅が、前記制御メッセージを受信するための前記第1の帯域幅と異なり、第2のサブキャリア間隔で構成され、前記第1の帯域幅と同じセル上の周波数のサブセットを含む、動作と、
前記制御メッセージと前記データ送信との間の時間ギャップをスケジュールする動作であり、前記時間ギャップが、前記ワイヤレスデバイスが前記第1の帯域幅の監視から前記第2の帯域幅の監視に切り替えることを可能にするように構成される、動作と、
前記第2の帯域幅において、前記スケジュールされた時間ギャップに少なくとも部分的に基づいて、送信時間間隔(TTI)中に前記データ送信を送信する動作と
を行うように前記プロセッサによって実行可能である、装置。